【手続補正書】
【提出日】平成19年4月9日(2007.4.9)
【手続補正１】
【補正対象書類名】明細書
【補正対象項目名】特許請求の範囲
【補正方法】変更
【補正の内容】
【特許請求の範囲】
【請求項１】  プログラム信号を変更して磁気テープレコーダでのコピーを防止する方法であって、
前記プログラム信号を受信するステップと、
前記プログラム信号を周波数解析して前記プログラム信号の少なくとも１つの周波数依存特性を決定するステップと、
前記特性に応じて所望の干渉タイプを適応的に選択するステップと、
複素除算：Ｄ（ｊω）＝Ｎ（ｊω）／Ｒ（ｊω）によってコピー防止信号を形成するステップであって、ここでＤ（ｊω）は生成すべき所望のコピー防止信号の周波数領域要素であり、Ｎ（ｊω）は違法に録音されたテープの再生時に生成される所望の干渉タイプの周波数領域要素であり、Ｒ（ｊω）はテープレコーダの想定される応答性の周波数領域要素であり、Ｄ（ｊω）を時間領域に変換することを含むステップと、
前記コピー防止信号を前記プログラム信号に加えて出力信号を発生させるステップと、
を含み、前記コピー防止信号は、高周波書込みヘッドバイアスを備えたテープレコーダで録音される場合には所望の干渉を生成するが、そのように録音されていない出力信号が再生された場合には前記プログラム信号によってマスクされる信号であることを特徴とする方法。
【請求項２】  前記周波数解析ステップが、複数のサブ帯域の各々において前記プログラム信号成分の振幅を解析することを含む請求項１に記載の方法。
【請求項３】  前記周波数解析ステップが、最大振幅の周波数成分を選択することを含む請求項１に記載の方法。
【請求項４】  前記周波数解析ステップが、最大振幅の干渉をマスクする周波数成分を選択することを含む請求項１に記載の方法。
【請求項５】  前記周波数解析ステップが、フーリエ変換によって前記プログラム信号を解析することを含む請求項１に記載の方法。
【請求項６】  前記周波数解析ステップが、連続したサンプル期間にわたって前記プログラム信号を解析することを含む請求項１に記載の方法。
【請求項７】  前記サンプル期間が、０．１秒から１０秒の持続時間であることを特徴とする請求項６に記載の方法。
【請求項８】  前記適応的に選択するステップが、心理知覚的モデルに応じて前記プログラム信号の成分によってマスクされた干渉を選択することを含む請求項１に記載の方法。
【請求項９】  前記適応的に選択するステップが、所望の干渉の周波数を決定することを含む請求項１に記載の方法。
【請求項１０】  前記特性が、前記プログラム信号の前記選択された周波数である請求項９に記載の方法。
【請求項１１】  前記適応的に選択するステップが、前記特性に応じて所望の干渉の振幅を決定することを含む請求項９に記載の方法。
【請求項１２】  前記適応的に選択するステップが、言葉のメッセージを選択して干渉を形成することを含む請求項１に記載の方法。
【請求項１３】  前記プログラム信号が、オーディオ信号を含むことを特徴とする請求項１に記載の方法。
【請求項１４】  請求項１に記載の方法で生成されるプログラム信号。
【請求項１５】  請求項１に記載の方法で生成されるプログラム制作物。
【請求項１６】  プログラム信号を変更して磁気テープレコーダでのコピーを防止する方法であって、
プログラム信号を受信するステップと、
複数のサブ帯域の各々において前記プログラム信号成分の振幅の周波数を解析するステップと、
干渉をマスクできる最大振幅の周波数成分を適応的に選択するステップと、
前記選択された周波数成分に応じて所望の干渉タイプを適応的に選択するステップと、
前記所望の干渉タイプ及び想定されるテープレコーダの応答性に応じてコピー防止信号を形成するステップと、
前記コピー防止信号を前記プログラム信号に加えて出力信号を発生させるステップと、を含み、
前記コピー防止信号は、高周波書込みヘッドバイアスを備えたテープレコーダで録音される場合には所望の干渉を生成するが、そのように録音されていない出力信号が再生された場合にはプログラム信号によってマスクされる信号であることを特徴とする方法。
【請求項１７】  プログラム信号を受信する手段と、
前記受信する手段に接続され、前記プログラム信号の少なくとも１つの周波数依存特性を決定するために前記プログラム信号を周波数解析する周波数解析手段と、
前記周波数解析手段に接続され、前記特性に応じて所望の干渉タイプを適応的に選択する適応的選択手段と、
複素除算：Ｄ（ｊω）＝Ｎ（ｊω）／Ｒ（ｊω）によってコピー防止信号を形成する生成手段であって、ここでＤ（ｊω）は生成すべき所望のコピー防止信号の周波数領域要素であり、Ｎ（ｊω）は違法に録音されたテープの再生時に生成される所望の干渉タイプの周波数領域要素であり、Ｒ（ｊω）はテープレコーダの想定される応答性の周波数領域要素であり、Ｄ（ｊω）を時間領域に変換するための生成手段と、
前記所望の干渉タイプに応じたコピー防止信号を前記プログラム信号に加えて出力をもたらすための、前記生成手段に接続された結合手段と、
を含む、プログラム信号を変更して磁気テープレコーダでのコピーを防止するための装置であって、
前記結合手段は、高周波書込みヘッドバイアスを備えたテープレコーダで録音される場合には所望の干渉を生成するが、そのように録音されていない出力信号が再生された場合には前記プログラム信号によってマスクされるようなコピー防止信号を加えることを特徴とする装置。
【請求項１８】  前記周波数解析手段が、複数のサブ帯域の各々において前記プログラム信号成分の振幅を解析するための手段を含むことを特徴とする請求項１７に記載の装置。
【請求項１９】  前記周波数解析手段が、最大振幅の周波数成分を選択するための手段を含むことを特徴とする請求項１７に記載の装置。
【請求項２０】  前記周波数解析手段が、最大振幅の干渉をマスクする周波数成分を選択するための手段を含むことを特徴とする請求項１７に記載の装置。
【請求項２１】  前記周波数解析手段が、フーリエ変換によって前記プログラム信号を解析するための手段を含むことを特徴とする請求項１７に記載の装置。
【請求項２２】  前記周波数解析手段が、連続したサンプル期間にわたって前記プログラム信号を解析するための手段を含むことを特徴とする請求項１７に記載の装置。
【請求項２３】  前記サンプル期間が、０．１秒から１０秒の持続時間であることを特徴とする請求項２２に記載の装置。
【請求項２４】  前記適応的選択手段が、心理知覚的モデルに応じて前記プログラム信号成分によりマスクされた干渉を選択するための手段を含むことを特徴とする請求項１７に記載の装置。
【請求項２５】  前記適応的選択手段が、所望の干渉の周波数を決定するための手段を含むことを特徴とする請求項１７に記載の装置。
【請求項２６】  前記特性が、前記プログラム信号の前記選択された周波数である請求項２５に記載の装置。
【請求項２７】  前記適応的選択手段が、前記特性に応じて所望の干渉の振幅を決定する手段を含む請求項２５に記載の装置。
【請求項２８】  前記適応的選択手段が、言葉のメッセージを選択して干渉を形成するための手段を含むことを特徴とする請求項１７に記載の装置。
【請求項２９】  プログラム信号を変更して磁気テープレコーダでのコピーを防止する装置であって、
プログラム信号を受信する手段と、
前記受信する手段に接続され、複数のサブ帯域の各々において前記プログラム信号成分の振幅を周波数解析するための周波数解析手段と、
前記周波数解析手段に接続され、干渉をマスクできる最大振幅の周波数成分を適応的に選択し、前記選択された周波数成分に応じて所望の干渉タイプを適応的に選択するための適応的選択手段と、
前記所望の干渉タイプ及び想定されるテープレコーダの応答性に応じてコピー防止信号を形成するための、前記適応的選択手段に接続された生成手段と、
前記所望の干渉タイプに応じたコピー防止信号を前記プログラム信号に加えて出力信号をもたらすための、前記生成手段に接続された結合手段と、を含み、
前記結合手段は、高周波書込みヘッドバイアスを備えたテープレコーダで録音される場合には所望の干渉を生成するが、そのように録音されていない出力信号が再生された場合には前記プログラム信号によってマスクされるようなコピー防止信号を加えることを特徴とする装置。